【手続補正書】
【提出日】平成24年3月12日(2012.3.12)
【手続補正１】
【補正対象書類名】特許請求の範囲
【補正対象項目名】全文
【補正方法】変更
【補正の内容】
【特許請求の範囲】
【請求項１】
フレームハンガーと、スプリングマウント、第１スプリング要素、及びスプリングマウントの反対側に配置された第２スプリング要素を備えるスプリング組立体と、を有するサスペンション組立体において、
サスペンション組立体は、スプリングモジュール（３３４）の頂壁（３５６）と、底壁（３５４）と、第１側壁（３５８）と、第２側壁（３６０）とにより形成されている開口を有するスプリングモジュール（３３４）を有し、第１スプリング要素は、第１側壁（３５８）とスプリングマウント（３４６）の第１面との間で圧縮されて保持される第１剪断スプリング（３５０）であり、第２スプリング要素は、第２側壁（３６０）とスプリングマウント（３４６）の第２面との間で圧縮されて保持される第２剪断スプリング（３５２）であり、スプリングモジュール（３３４）の第１及び第２側壁（３５８、３６０）とスプリングマウント（３４６）の第１面及び第２面とは、相互にほぼ平行であり且つスプリングマウント（３４６）の頂面に対してほぼ垂直であり、スプリングマウント（３４６）の頂面は、負荷クッション（３４８）を支えるようになっていることを特徴とするサスペンション組立体。
【請求項２】
第１剪断スプリング（３５０）は第１端部および第２端部を有し、
第２剪断スプリング（３５２）は第１端部および第２端部を有し、
スプリングマウント（３４６）は、スプリングマウント（３４６）の第１面に配置された第１マウントポケット（４７０）およびスプリングマウント（３４６）の第２面に配置された第２マウントポケット（４７２）を有し、
スプリングモジュール（３３４）の第１側壁（３５８）は第１壁ポケット（３６４）を有し、
スプリングモジュール（３３４）の第２側壁（３６０）は第２壁ポケット（３６６）を有し、
第１剪断スプリング（３５０）の第１端部は第１壁ポケット（３６４）内に配置でき、
第１剪断スプリング（３５０）の第２端部は第１マウントポケット（４７０）内に配置でき、
第２剪断スプリング（３５２）の第１端部は第２壁ポケット（３６６）内に配置でき、
第２剪断スプリング（３５２）の第２端部は第２マウントポケット（４７２）内に配置できることを特徴とする請求項１記載のサスペンション組立体。
【請求項３】
更に、第２スプリングモジュール（３３５）の頂壁（３５６）と、底壁（３５４）と、第１側壁（３５８）と、第２側壁（３６０）とにより形成されている開口を有する第２スプリングモジュール（３３５）を有し、第３剪断スプリング（３５０）は第１側壁（３５８）と第２スプリングマウント（３４６）の第１面との間で圧縮されて保持され、第４剪断スプリング（３５２）は第２側壁（３６０）と第２スプリングマウント（３４６）の第２面との間で圧縮されて保持され、第２スプリングモジュール（３３５）の第１及び第２側壁（３５８、３６０）と第２スプリングマウント（３４６）の第１面及び第２面とは、相互にほぼ平行であり且つ第２スプリングマウント（３４６）の頂面に対してほぼ垂直であり、
更に、スプリングマウント（３４６）に取り付けられる第１端部と、第２スプリングマウント（３４６）に取り付けられる第２端部とを備えるサドル組立体（３３７、３３９）を有することを特徴とする請求項１記載のサスペンション組立体。
【請求項４】
スプリングマウント（３４６）の頂面に取付けられた負荷クッション（３４８）を更に有することを特徴とする請求項１記載のサスペンション組立体。
【請求項５】
負荷クッションは、
所与の材料からなるクッション部分（４０６）と、
頂面（４１０）、底面（４１２）および多数の縁部（４１４）を備えたベースプレート（４００）とを有し、
クッション部分（４０６）は、ベースプレート（４００）の頂面（４１０）から離れる方向に延びかつ２つのテーパ状縁部を備えた少なくとも１つの垂直断面を有することを特徴とする請求項４記載のサスペンション組立体。
【請求項６】
頂面（４１０）の部分、底面（４１２）の部分および多数の縁部（４１４）は、負荷クッションの製造時にベースプレートを保持するケレンとして使用され、
所与の材料はケレンを除くベースプレートの全部をカバーすることを特徴とする請求項５記載のサスペンション組立体。
【請求項７】
負荷クッションは、
第１クッション部分（４０６）と、
第２クッション部分（４０８）と、
頂面（４１０）および底面（４１２）を備えたベースプレート（４００）と、
頂面（４１６）および底面（４１８）を備えたレートプレート（４０２）とを有し、
ベースプレートの頂面（４１０）はレートプレートの頂面（４１６）に平行であり、
第１クッション部分（４０６）は、レートプレートの頂面（４１６）から離れる方向に延びかつ２つのテーパ状縁部を備えた少なくとも１つの垂直断面を有し、
第２クッション部分（４０８）は、ベースプレート（４００）とレートプレートの底面（４１８）との間に配置されていることを特徴とする請求項４記載のサスペンション組立体。
【請求項８】
ベースプレート（４００）は、それぞれの取付け孔（４２６）を備えた少なくとも１つの耳（４２４）を有し、
負荷クッション（３４８）は、各耳（４２４）の孔（４２６）を通ってスプリングマウント（３４６）のそれぞれの孔内に挿入されるそれぞれのファスナを介してスプリングマウント（３４６）に取付けられることを特徴とする請求項７記載のサスペンション組立体。
【請求項９】
負荷クッション（３４８）は、負荷クッションのベースに対して垂直に加えられる荷重の増大と共に連続的に増大するスプリングレートを有するエラストマー漸増スプリングレート負荷クッションからなることを特徴とする請求項４記載のサスペンション組立体。
【請求項１０】
第１サドル組立体（３３７）と、
第２サドル組立体（３３９）とを更に有し、
スプリングマウント（３４６）は第１サドルインターフェース（４５６）および第２サドルインターフェース（４５８）を備え、
第１サドル組立体（３３７）は、第１サドルインターフェース（４５６）でスプリングマウント（３４６）に取付けられ、
第２サドル組立体（３３９）は、第２サドルインターフェース（４５８）でスプリングマウント（３４６）に取付けられることを特徴とする請求項１記載のサスペンション組立体。
【請求項１１】
第１スプリング（３５０）、第２スプリング（３５２）、及びスプリングマウント（３４６）を支えるようにされたスプリングモジュール（３３４）と、
スプリングモジュール（３３４）の頂壁（３５６）と、底壁（３５４）と、第１及び第２側壁（３５８、３６０）とにより形成されている開口を有し、車両のフレームレールに取り付けるようになっているフレーム取付部（３３８）を備えるスプリングモジュール（３３４）と、
スプリングモジュール（３３４）の開口内に配置されるスプリングマウント（３４６）と、
スプリングモジュール（３３４）の開口内に配置されかつスプリングモジュール（３３４）の第１側壁（３５８）とスプリングマウント（３４６）の第１面との間に圧縮されて保持された第１剪断スプリングからなる第１スプリング（３５０）、及び、スプリングモジュール（３３４）の開口内に配置されかつスプリングモジュール（３３４）の第２側壁（３６０）とスプリングマウント（３４６）の第２面との間に圧縮されて保持された第２剪断スプリングからなる第２スプリング（３５２）と、
スプリングマウント（３４６)の頂面とスプリングモジュール(３３４)の頂壁（３５６）との間においてスプリングモジュール（３３４）内に配置された漸増スプリングレート負荷クッション（３４８）であって、クッションに加えられる垂直荷重の増大と共に連続的に増大するスプリングレートを有する漸増スプリングレート負荷クッション（３４８）と、を有することを特徴とする、アクスルの上方で長手方向に延びている車両フレームを支持するサスペンション。
【請求項１２】
第１剪断スプリング（３５０）はスプリングモジュール（３３４）の第１側壁（３５８）に形成された第１ポケット（３６４）とスプリングマウント（３４６）の第１面に形成された第２ポケット（４７０）との間で圧縮されて保持され、第２剪断スプリング（３５２）はスプリングモジュール（３３４）の第２側壁（３６０）に形成された第３ポケット（３６６）と第２スプリングマウント（３４６）の第２面に形成された第４ポケット（４７２）との間で圧縮されて保持されることを特徴とする請求項１１記載のサスペンション。
【請求項１３】
スプリングモジュール（３３４）に連結された釣合いビーム（７８）を更に有していることを特徴とする請求項１１記載のサスペンション。
【手続補正２】
【補正対象書類名】図面
【補正対象項目名】図１１
【補正方法】変更
【補正の内容】
【図１１】
2011516321.tif 000001
【手続補正３】
【補正対象書類名】図面
【補正対象項目名】図１６
【補正方法】変更
【補正の内容】
【図１６】
2011516321.tif 000002
【手続補正４】
【補正対象書類名】図面
【補正対象項目名】図２２
【補正方法】変更
【補正の内容】
【図２２】
2011516321.tif 000003
【手続補正５】
【補正対象書類名】図面
【補正対象項目名】図２３
【補正方法】変更
【補正の内容】
【図２３】
2011516321.tif 000004
【手続補正６】
【補正対象書類名】図面
【補正対象項目名】図５５
【補正方法】変更
【補正の内容】
【図５５】
2011516321.tif 000005
【手続補正７】
【補正対象書類名】図面
【補正対象項目名】図５６
【補正方法】変更
【補正の内容】
【図５６】
2011516321.tif 000006
【手続補正８】
【補正対象書類名】図面
【補正対象項目名】図５７
【補正方法】変更
【補正の内容】
【図５７】
2011516321.tif 000007